(57)【特許請求の範囲】
【請求項１】
外壁より見込み方向屋外側に張り出して設けられ、張り出した部位の下面が支持部材により支持された枠体に設けられる水切りユニットであって、
前記下面の、前記支持部材より見込み方向屋外側に当接される枠当接部を有し当該枠当接部にて前記下面に固定されるアタッチメントと、
前記アタッチメントを介して前記枠体に取り付けられる水切り材と、
を有し、
前記アタッチメントは、前記枠当接部より見込み方向屋内側に、前記下面より低い位置に配置され前記枠体の全幅に亘って前記水切り材が接合されるアタッチメント接合部を有し、
前記水切り材は、前記アタッチメント接合部との間が全幅に亘って止水されて前記アタッチメント接合部と接合される水切り材接合部を有していることを特徴とする水切りユニット。
【請求項２】
請求項１に記載の水切りユニットであって、
前記アタッチメント接合部と前記水切り材接合部とが接合されている接合部分より見込み方向屋外側に、前記アタッチメントと前記水切り材とが全幅に亘って係合する係合部が設けられていることを特徴とする水切りユニット。
【請求項３】
請求項２に記載の水切りユニットであって、
前記係合部は、前記アタッチメントに設けられ前記枠当接部より下方にて見込み方向屋内側に突出するアタッチメント係合片と、
前記水切り材に設けられ前記アタッチメント係合片の上側にて見込み方向屋外側に突出する水切り材係合片と、が係合しており、
前記水切り材は、前記アタッチメントの幅より広く形成され、幅方向における両側に突出した小口を塞ぐ端部キャップを有しており、
前記水切り材が前記アタッチメントと係合して取り付けられたときの前記端部キャップと前記枠体または前記枠体が固定されている躯体との距離は、前記アタッチメント係合片と前記水切り材係合片との係合代より短いことを特徴とする水切りユニット。
【請求項４】
請求項１乃至請求項３のいずれかに記載の水切りユニットであって、
前記アタッチメントは、前記枠当接部と前記アタッチメント接合部との間に前記枠当接部より低く窪む凹部と、前記凹部内と前記水切り材の上方の空間とを連通するアタッチメント連通孔と、を有し、
前記水切り材の上面は、見込み方向屋外側に向かって低くなるように形成されていることを特徴とする水切りユニット。
【請求項５】
請求項４に記載の水切りユニットであって、
前記アタッチメント接合部は、前記凹部に向かって低くなる傾斜を有する平面状をなしていることを特徴とする水切りユニット。
【請求項６】
請求項１乃至請求項５のいずれかに記載の水切りユニットと、
前記水切りユニットが取り付けられる前記枠体と、を備えたことを特徴とする建具。
【発明の詳細な説明】
【技術分野】
【０００１】
本発明は、外壁より張り出して設けられた枠体に設けられる水切りユニットおよび建具に関する。
【背景技術】
【０００２】
建物に設けられた建具の窓枠の下部に水切り材としての機能を有するトリム材をトリム補助材により取り付けることは知られている(例えば、特許文献１参照)。トリム補助材は窓枠の幅より狭く形成されており、窓枠の下部には複数のトリム補助材が窓枠の幅方向に互いに間隔を隔てて取り付けられる。複数設けられたトリム補助材は、トリム材に設けられた切欠部の内側にトリム補助材の窓枠固定部が挿入されている。
【０００３】
また、窓枠が建物より張り出して設けられている場合には、躯体に固定されるとともに窓枠を下方から支持すべく窓枠の下面に取り付けられる取付片を有する窓枠構造も知られている（例えば、特許文献２参照）。このような取付片は、窓枠の幅方向に互いに間隔を隔てて複数設けられているものもある。
【先行技術文献】
【特許文献】
【０００４】
【特許文献１】特開２００６−３２８８２０号公報
【特許文献２】実公昭５８−２９７３１号公報
【発明の概要】
【発明が解決しようとする課題】
【０００５】
上述したように、トリム材が設けられている場合には、トリム材と窓枠との間に窓枠の全幅に亘って止水された部位は設けられておらず、トリム材、トリム補助材、窓枠の隙間から浸入した水が窓枠に伝って外壁に至る虞があるという課題がある。また、窓枠の下面に取付片が互いに間隔を隔てて複数設けられている場合には、水切り材を取り付ける窓枠の下面に取付片が固定されることにより窓枠の下面に段差が生じるため、段差を有する窓枠の下面から外壁側に浸入する水を防ぐように止水することが難しいという課題がある。
【０００６】
本発明は、かかる課題に鑑みてなされたものであり、その目的とするところは、止水性を備えて枠体に取り付けられる水切り材を有する水切りユニットおよびこの水切りユニットを備えた建具を提供することにある。
【課題を解決するための手段】
【０００７】
かかる目的を達成するために本発明の水切りユニットは、外壁より見込み方向屋外側に張り出して設けられ、張り出した部位の下面が支持部材により支持された枠体に設けられる水切りユニットであって、前記下面の、前記支持部材より見込み方向屋外側に当接される枠当接部を有し当該枠当接部にて前記下面に固定されるアタッチメントと、前記アタッチメントを介して前記枠体に取り付けられる水切り材と、を有し、前記アタッチメントは、前記枠当接部より見込み方向屋内側に、前記下面より低い位置に配置され前記枠体の全幅に亘って前記水切り材が接合されるアタッチメント接合部を有し、前記水切り材は、前記アタッチメント接合部との間が全幅に亘って止水されて前記アタッチメント接合部と接合される水切り材接合部を有していることを特徴とする水切りユニットである。
【０００８】
このような水切りユニットによれば、枠体にアタッチメントを介して取り付けられる水切り材は、アタッチメントが枠体に当接されている枠当接部より屋内側に設けられ、枠体の全幅に亘って設けられているアタッチメント接合部に、水切り材接合部が全幅に亘って接合されることによりアタッチメントとの接合部が止水される。このため、アタッチメント接合部と水切り材接合部との接合部によりアタッチメント接合部と水切り材接合部との間を確実に止水することが可能である。
【０００９】
かかる水切りユニットであって、前記アタッチメント接合部と前記水切り材接合部とが接合されている接合部分より見込み方向屋外側に、前記アタッチメントと前記水切り材とが全幅に亘って係合する係合部が設けられていることが望ましい。
【００１０】
このような水切りユニットによれば、アタッチメント接合部と水切り材接合部との接合部より見込み方向屋外側にてアタッチメントと水切り材とが係合する係合部が全幅に亘って設けられているので、アタッチメント接合部と水切り材接合部との接合部分に直接水が進入することを防止することが可能である。このため、より止水性に優れた水切りユニットを提供することが可能である。
【００１１】
かかる水切りユニットであって、前記係合部は、前記アタッチメントに設けられ前記枠当接部より下方にて見込み方向屋内側に突出するアタッチメント係合片と、前記水切り材に設けられ前記アタッチメント係合片の上側にて見込み方向屋外側に突出する水切り材係合片と、が係合しており、前記水切り材は、前記アタッチメントの幅より広く形成され、幅方向における両側に突出した小口を塞ぐ端部キャップを有しており、前記水切り材が前記アタッチメントと係合して取り付けられたときの前記端部キャップと前記枠体または前記枠体が固定されている躯体との距離は、前記アタッチメント係合片と前記水切り材係合片との係合代より短いことが望ましい。
【００１２】
このような水切りユニットによれば、水切り材が取り付けられたときの、水切り材に取り付けられた端部キャップと枠体または躯体との距離が、アタッチメント係合片と水切り材係合片との係合代より短いので、アタッチメント係合片と水切り材係合片とが係合していない場合には、端部キャップが枠体または躯体に接触して水切り材を取り付けることができない。このため、容易に且つ確実に水切り材を取り付けることが可能な水切りユニットを提供することが可能である。
【００１３】
かかる水切りユニットであって、前記アタッチメントは、前記枠当接部と前記アタッチメント接合部との間に前記枠当接部より低く窪む凹部と、前記凹部内と前記水切り材の上方の空間とを連通するアタッチメント連通孔と、を有し、前記水切り材の上面は、見込み方向屋外側に向かって低くなるように形成されていることが望ましい。
【００１４】
このような水切りユニットによれば、枠当接部とアタッチメント接合部との間に枠当接部より低く窪む凹部が設けられているので、たとえ枠体とアタッチメントとの間から水が浸入したとしても凹部に至らせて、アタッチメント接合部側、すなわち外壁側に流れることを抑えることが可能である。また、アタッチメントが有する凹部内と水切り材の上方の空間とを連通する連通孔と、水切り材が有する見込み方向屋外側に向かって低くなるように形成された上面とにより、凹部に至った水を水切り材の上方の空間から水切り材の上面に至らせて屋外に排出することが可能である。
【００１５】
かかる水切りユニットであって、前記アタッチメント接合部は、前記凹部に向かって低くなる傾斜を有する平面状をなしていることが望ましい。
このような水切りユニットによれば、凹部に向かって低くなる傾斜を有する平面状をなすアタッチメント接合部により、たとえアタッチメント接合部の上面に水が至ったとしても、その水を凹部に流し、凹部から屋外に排出することが可能である。
【００１６】
また、前記水切りユニットと、前記水切りユニットが取り付けられる前記枠体と、を備えた建具である。
このような建具によれば、アタッチメント接合部と水切り材接合部との接合部分にて、より確実に止水し、固定部から浸入した水も外壁側に進入することを防止することが可能であり、枠体が支持部材に下面が支持されていたとしても止水性を備えつつ水切り材を備えることが可能な建具を提供することが可能である。また、アタッチメントと水切り材との係合部より接合部に水が直接進入することを防止することが可能である。
【００１７】
また、水切り材が取り付けられたときの、水切り材に取り付けられた端部キャップと枠体または躯体との距離が、アタッチメント係合片と水切り材係合片との係合代より短い端部キャップを備えることにより水切りユニットを容易に且つ確実に取り付けることが可能な建具を提供することが可能である。
【００１８】
また、枠当接部とアタッチメント接合部との間に設けられた凹部および凹部内と水切り材の上方の空間とを連通する連通孔、見込み方向屋外側に向かって低くなるように形成された水切り材の上面により、枠体とアタッチメントとの間から水が浸入したとしても凹部に至らせ、凹部に至った水を屋外に排出することが可能である。さらに、アタッチメント接合部の、凹部に向かって低くなる傾斜により、たとえアタッチメント接合部に水が至ったとしても、凹部に流し、凹部から屋外に排出することが可能な水切りユニットを備えた建具を提供することが可能である。
【発明の効果】
【００１９】
本発明によれば、止水性を備えて枠体に取り付けられる水切り材を有する水切りユニットおよびこの水切りユニットを備えた建具を提供することが可能である。
【図面の簡単な説明】
【００２０】
【図１】本実施形態の建具を示す斜視図である。
【図２】本実施形態の建具の下部を示す縦断面図である。
【図３】本実施形態の建具を示す横断面図である。
【図４】アタッチメント係合部と水切り係合部とが係合していない状態を示す縦断面図である。
【図５】アタッチメントの変形例を示す縦断面図である。
【発明を実施するための形態】
【００２１】
以下、本発明の一実施形態に係る水切りユニットおよびこの水切りユニットを備えた建具について図面を参照して説明する。
本実施形態の水切りユニット７は、例えば、図１に示すように、ガラス４を備えたＦＩＸ窓用の建具１に備えられ、建物３の外壁３ａより張り出して設けられた枠体２の下に設けられている。
【００２２】
以下の説明においては、建物３等に取り付けられた状態の建具１および水切りユニット７を、見込み方向屋外側から見たときに、上下となる方向を上下方向、左右となり外壁３ａに沿う方向を左右方向または幅方向、屋内外方向である奥行き方向を見込み方向として示す。建具１および水切りユニット７の各部位であっても、また、建具１および水切りユニット７を構成する各部材については単体の状態であっても、建物３等に取り付けられた状態にて上下方向、左右方向、見込み方向となる方向にて方向を特定して説明する。
【００２３】
本実施形態の水切りユニット７が設けられている建具１の枠体２は、同一断面形状をなす合成樹脂製の４本の枠材を、各々の枠材において斜めに切断された両端部を互いに突き合わせて溶着して形成されている。
【００２４】
本建具１の枠体２は外壁３ａより張り出して設けられており、各枠材の外周面から枠体２の外側に向かって突出され躯体８に当接されるヒレ状の躯体当接部２ａが設けられている。また、枠体２における躯体当接部２ａより見込み方向屋外側の平坦な下面２ｂには躯体８に固定されて枠体２を支持する支持部材５が当接されている。
【００２５】
支持部材５は、板状をなして枠体２の下面２ｂが載置される枠載置部５ａと板状をなし躯体８に固定される躯体固定部５ｂとの各々一方の端部同士が繋がって断面がＬ字状をなしている。支持部材５の幅は、枠体２の幅より十分に狭く形成されており、枠体２の下面２ｂには、複数の支持部材５が幅方向に互いに間隔を隔てて配置されている。また、支持部材５が枠体２の下面２ｂに当接される部位の見込み方向の長さは、下面２ｂの張出量より小さいため、支持部材５の見込み方向屋外側の先端は枠体２の見込み方向屋外側の先端には至らず、枠体２の下面２ｂは支持部材５より見込み方向屋外側に突出している。
【００２６】
水切りユニット７は、建具１を伝って流れる水を外壁３ａから離れた位置に至らせるための水切り材１０と、水切り材１０を枠体２に固定するためのアタッチメント２０と、を有している。水切り材１０は、押出成型材でなる水切り材本体１１と、水切り材本体１１の小口を塞ぐ水切り端部キャップ１２と、を有している。アタッチメント２０は、押出成型材でなるアタッチメント本体２１と、アタッチメント本体２１の小口を塞ぐアタッチメント端部キャップ２２と、を有している。
【００２７】
アタッチメント２０は、枠体２において躯体当接部２ａを除く部位（以下、張出部という）２ｃの幅とほぼ同じ幅をなしており、両端部に設けられたアタッチメント端部キャップ２２が、枠体２において躯体当接部２ａより見込み方向屋外側に張り出した張出部２ｃの側面に当接されてビス止めされている。水切り材１０は、枠体２およびアタッチメント２０の幅より広く形成されており、水切り端部キャップ１２がアタッチメント端部キャップ２２より幅方向外側に突出し、各水切り端部キャップ１２において幅方向の端をなす部位の端縁が、枠体２において張出部２ｃより幅方向に突出している躯体当接部２ａと対向するように構成されている。
【００２８】
アタッチメント本体２１は、枠体２の下面２ｂであって、固定された支持部材５よりも見込み方向屋外側の部位に長手方向における全幅に亘って当接される当接部としての枠当接部２１ａと、枠当接部２１ａの見込み方向屋内側に設けられ当該枠当接部２１ａより下方に窪む凹部２１ｂと、凹部２１ｂの見込み方向屋内側に設けられ枠体２の全幅に亘って平面状をなすアタッチメント接合部２１ｃと、枠当接部２１ａの見込み方向屋外側の縁と繋がって枠当接部２１ａの下方にて水切り材１０と係合するアタッチメント係合部２１ｄと、を有している。
【００２９】
凹部２１ｂには、下方に窪んだ底部に凹部２１ｂ内と水切り材１０との間の空間とを連通するアタッチメント連通孔２１ｅが設けられている。アタッチメント連通孔２１ｅは、底部に１箇所または幅方向に適宜間隔を隔てて複数設けられている。
凹部２１ｂの見込み方向屋内側に設けられたアタッチメント接合部２１ｃは、支持部材５における枠載置部５ａの見込み方向屋外側の部位より下方に位置している。また、アタッチメント接合部２１ｃは、その見込み方向屋外側に位置する凹部２１ｂに向かって低くなるような傾斜を有している。
【００３０】
アタッチメント係合部２１ｄは、枠当接部２１ａの見込み方向屋外側の縁から垂設された垂設部２１ｆと、垂設部２１ｆの下端から見込み方向屋内側に延出されたアタッチメント係合片２１ｇとを有している。アタッチメント係合片２１ｇは、見込み方向屋内側に向かって高くなるような僅かな傾斜を有している。
【００３１】
水切り材本体１１は、アタッチメント２０に取り付けられたときに、外壁３ａよりも見込み方向屋内側から枠体２より見込み方向屋外側に至るように設けられ、上面が見込み方向屋外側に向かって漸次低くなるような上面としての湾曲上面１１ａを有する本体湾曲部１１ｂと、湾曲上面１１ａの見込み方向における中央より見込み方向屋内側に立設された脚部１１ｃと、脚部１１ｃの上端に設けられアタッチメント接合部２１ｃと対向して接合される平面状をなす水切り材接合部１１ｄと、湾曲上面１１ａの見込み方向における中央より見込み方向屋外側に設けられアタッチメント係合部２１ｄと係合する水切り材係合部１１ｅと、を有している。
【００３２】
水切り材係合部１１ｅは、湾曲上面１１ａから上方に延出された上方延出部１１ｆと、上方延出部１１ｆの上端から見込み方向屋外側に向かってに延出された水切り材係合片１１ｇとを有している。水切り材係合片１１ｇは、見込み方向屋外側に向かって低くなるような僅かな傾斜を有している。上方延出部１１ｆには下端部に見込み方向屋内外を連通する水切り材連通孔１１ｈが設けられ、本体湾曲部１１ｂの湾曲上面１１ａは水切り材連通孔１１ｈの屋内外において滑らかな曲面で繋がっている。水切り材連通孔１１ｈは、上方延出部１１ｆに１箇所または幅方向に適宜間隔を隔てて複数設けられている。
【００３３】
水切り端部キャップ１２は、水切り材本体１１の見込み方向屋外側の部位に係合されるキャップ係合部１２ａと、キャップ係合部１２ａと一体に形成され水切り材本体１１の小口に当接される小口当接部１２ｂと、小口当接部１２ｂの見込み方向屋内側の縁部から枠体２内周方向に向かって延出されキャップ延出部１２ｃと、を有している。水切り端部キャップ１２は、キャップ係合部１２ａが水切り材本体１１に係合された状態で、長手方向に沿って水切り材本体１１に形成されているビス螺合部に小口当接部１２ｂ側からビスが螺合されて固定されている。小口当接部１２ｂは水切り材本体１１より見込み方向屋内側に大きく突出され、その縁部にキャップ延出部１２ｃが設けられている。
【００３４】
水切り材１０がアタッチメント２０を介して適切な位置に取り付けられた状態における、枠体２を形成する縦枠材の躯体当接部２ａと、水切り端部キャップ１２のキャップ延出部１２ｃの見込み方向屋内側の縁との距離Ｘ１が、アタッチメント係合部２１ｄと水切り材係合部１１ｅとの係合代Ｘ２より小さくなるように構成されている。
【００３５】
水切りユニット７の取付方法は、まず、アタッチメント２０の枠当接部２１ａを枠体２の下面２ｂの、支持部材５よりも見込み方向屋外側の部位に当接させるとともにアタッチメント端部キャップ２２を枠体２の側面に当接されてビス止めする。
【００３６】
次に、水切り材接合部１１ｄの上面の全幅に亘って止水性を有する両面テープ１５を備えた水切り材１０の、水切り材係合部１１ｅをアタッチメント係合部２１ｄに係合させた後、水切り材接合部１１ｄをアタッチメント接合部２１ｃ側に押圧して両面テープ１５により水切り材接合部１１ｄとアタッチメント接合部２１ｃとを、全幅に亘って接着する。
【００３７】
このとき、適切な位置に取り付けられた水切り材１０の小口当接部１２ｂとの見込み方向屋内側の縁と躯体当接部２ａとの距離Ｘ１が、アタッチメント係合部２１ｄと水切り材係合部１１ｅとの係合代Ｘ２より小さいので、アタッチメント係合部２１ｄと水切り材係合部１１ｅとが係合していない状態では、キャップ延出部１２ｃの見込み方向屋内側の縁が躯体当接部２ａに接触して取り付けられないように構成されている。
【００３８】
本実施形態の水切りユニット７は、外壁３ａより見込み方向屋外側に張り出して設けられ、張り出した張出部２ｃの下面２ｂが支持部材５により支持された枠体２に設けられる水切りユニット７であって、下面２ｂの、支持部材５より見込み方向屋外側に当接される枠当接部２１ａを有し当該枠当接部２１ａにて下面２ｂに固定されるアタッチメント２０と、アタッチメント２０を介して枠体２に取り付けられる水切り材１０と、を有し、アタッチメント２０は、枠当接部２１ａより見込み方向屋内側に、下面２ｂより低い位置に配置され枠体２の全幅に亘って水切り材１０が接合されるアタッチメント接合部２１ｃを有し、水切り材１０は、アタッチメント接合部２１ｃとの間が全幅に亘って止水されてアタッチメント接合部２１ｃと接合される水切り材接合部１１ｅを有している。
【００３９】
本実施形態の水切りユニット７によれば、枠体２にアタッチメント２０を介して取り付けられる水切り材１０は、アタッチメント２０が枠体２に固定されている枠当接部２１ａより見込み方向屋内側に設けられ、枠体２の全幅に亘って平面を形成するアタッチメント接合部２１ｃに、水切り材接合部１１ｄが全幅に亘って止水性を有する両面テープ１５により固定されることによりアタッチメント２０との接合部分が止水される。このため、アタッチメント接合部２１ｃと水切り材接合部１１ｄとの平面同士の接合部分により水切り材１０とアタッチメント２０との間を確実に止水することが可能である。
【００４０】
また、アタッチメント接合部２１ｃは、枠体２の下面２ｂより低い位置に配置されているので、枠当接部２１ａと枠体２の下面２ｂとの間から浸入する水を、枠体２の張り出している下面２ｂとの固定部より低い位置、すなわち枠体２の下面２ｂより下側の離れた位置に移動させることが可能である。このため、枠当接部２１ａと枠体２の下面２ｂとの間から浸入した水が外壁３ａより見込み方向屋内側に進入することを防止することが可能である。
【００４１】
また、アタッチメント２０の固定およびアタッチメント２０と水切り材１０とを接合した状態でアタッチメント２０および水切り材１０は支持部材５と干渉しないので、枠体２の下面２ｂに支持部材５が取り付けられていたとしても止水性を備えつつ水切り材１０を備えることが可能である。
【００４２】
また、アタッチメント接合部２１ｃと水切り材接合部１１ｄとの接合部分より見込み方向屋外側にて係合するアタッチメント係合部２１ｄと水切り材係合部１１ｅとは、いずれも全幅に亘って設けられているので、アタッチメント接合部２１ｃと水切り材接合部１１ｄとの接合部分に水が直接進入することを防止することが可能である。このため、より止水性に優れた水切りユニット７を提供することが可能である。
【００４３】
また、水切り材１０が取り付けられたときの、水切り材１０に取り付けられた水切り材端部キャップ１２の見込み方向屋内側の縁と枠体２の躯体当接部２ａとの距離Ｘ１が、アタッチメント係合片２１ｇと水切り材係合片１１ｇとの係合代Ｘ２より短いので、水切り材１０を取り付ける際にアタッチメント係合片２１ｇと水切り材係合片１１ｇとが係合していない場合には、図４に示すように、水切り端部キャップ１２のキャップ延出部１２ｃが躯体当接部２ａに接触して水切り材１０を取り付けることができない。このため、容易に且つ確実に水切り材１０を適切に取り付けることが可能な水切りユニット７を提供することが可能である。
【００４４】
また、枠当接部２１ａとアタッチメント接合部２１ｃとの間に枠当接部２１ａより低く窪む凹部２１ｂが設けられているので、たとえ枠体２の下面２ｂと枠当接部２１ａとの間から水が浸入したとしても凹部２１ｂに至らせて、アタッチメント接合部２１ｃ側、すなわち外壁３ａより見込み方向屋内側に流れることを抑えることが可能である。また、アタッチメント２０が有する凹部２１ｂ内と水切り材１０の上方の空間とを連通するアタッチメント連通孔２１ｅと、水切り材１０が有する見込み方向屋外側に向かって低くなるように形成された湾曲上面１１ａとにより、凹部２１ｂに至った水を見込み方向屋外に排出することが可能である。
【００４５】
また、アタッチメント接合部２１ｃの上面が、凹部２１ｂに向かって低くなるような傾斜を有していることにより、たとえアタッチメント接合部２１ｃの上面に水が至ったとしても、凹部２１ｂに流し、凹部２１ｂから見込み方向屋外に排出することが可能である。本実施形態においては、アタッチメント接合部２１ｃ及び水切り材接合部１１ｄが平面状をなしている例について説明したが、これに限らず、凹部２１ｂに向かって低くなるように形成されていれば、曲面などその他の形状であっても構わない。
【００４６】
本実施形態のような合成樹脂製の建具１の場合には、コストを抑えるために同一断面形状をなす押出成形材でなる４本の枠材を、各々の枠材において斜めに切断された両端部を互いに突き合わせて溶着し枠体を形成する場合が多い。しかしながら、水切り材を係合する係合部を下側の枠材のみに形成すると下側の枠材用に別途成形型が必要となり、単一の成形型にて、係合部を備えた枠材を形成すると、成形後に左右縦枠及び上枠の係合部を除去しなければならなくなる。このため、本実施形態の水切りユニット７のように、枠体２にアタッチメント２０を介して水切り材１０を取り付ける構成とすることにより、繁雑な作業を必要としない安価な水切りユニット７を実現することが可能である。
また、本実施形態の水切りユニット７を備えた建具１も実現可能である。
【００４７】
上記実施形態の水切りユニット７は、アタッチメント２０が枠当接部２１ａにて枠体２の下面２ｂに当接されてビス止めされる例について説明したが、これに限らず、例えば、図５に示すように、枠当接部２３ａの屋内側の縁から垂設された屋内壁部２３ｂの下縁から見込み方向屋内側に延出された水平面部２３ｃを有し、水平面部２３ｃの上方に突出し先端が枠体２の下面２ｂに当接する突起２３ｄが屋内壁部２３ｂと間隔を隔てて設けられている形態のアタッチメント２３であっても構わない。この場合には、水平面部２３ｃおいて突起２３ｄより見込み方向屋内側の部位がアタッチメント接合部をなし、屋内壁部２３ｂと突起２３ｄとの間が、枠当接部とアタッチメント接合部との間に設けられ枠当接部より低く窪む凹部２３ｅに相当する。また、アタッチメント２３は、凹部２３ｅにてビス止めされており、凹部２３ｅの底をなす水平面部２３ｃには、凹部２３ｅ内と水切り材１０との間の空間とを連通するアタッチメント連通孔（不図示）が設けられている。
【００４８】
また、上記実施形態においては、アタッチメント係合部２１ｄと水切り材係合部１１ｅとが係合していない状態では、キャップ延出部１２ｃの見込み方向屋内側の縁が躯体当接部２ａに接触する例について説明したが、水切り材端部キャップ１２の小口当接部１２ｂが枠体２の躯体当接部２ａより外側に位置する場合には、キャップ延出部１２ｃの見込み方向屋内側の縁が躯体８に接触してもよい。
【００４９】
また、上記実施形態においては、枠体２の下面２ｂに、複数の支持部材５が幅方向に互いに間隔を隔てて配置されている例について説明したが、支持部材５は、枠体２の張出部２ｃの全幅に亘るように形成されていても構わない。
上記実施形態においては、ＦＩＸ窓用の建具１を例に挙げて説明したが、これに限らず、引き違い窓用の建具、辷り出し窓用の建具、開き窓用の建具など、外壁より張り出して設けられる枠体を有する建具であれば構わない。また、上記実施形態においては合成樹脂製の枠体２に水切りユニット７を設ける例について説明したが、枠体はアルミニウム製であってもかまわない。
【００５０】
上記実施形態においては、アタッチメント接合部２１ｃと水切り材接合部１１ｄとを止水性を有する両面テープ１５により接着することにより接合した例について説明したが、これに限らず、例えば、アタッチメント接合部２１ｃと水切り材接合部１１ｄとの間に止水材を介在させてビス止めしたり、ビス止めまたはかしめ等にて接合した後に周囲をコーキングするなど、アタッチメント接合部２１ｃと水切り材接合部１１ｄとの間を止水できればいかなる接合方法または接着方法でもかまわない。
【００５１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  建具、２  枠体、２ａ  躯体当接部、２ｂ  下面、３ａ  外壁、５  支持部材、
７  水切りユニット、８  躯体、１０  水切り材、１１ａ  湾曲上面、
１１ｄ  水切り材接合部、１１ｅ  水切り材係合部、１１ｇ  水切り材係合片、
１２  水切り材端部キャップ、１２ｃ  キャップ延出部、２０  アタッチメント、
２１ａ  枠当接部、２１ｂ  凹部、２１ｃ  アタッチメント接合部、
２１ｄ  アタッチメント係合部、２１ｅ  アタッチメント連通孔、
２１ｇ  アタッチメント係合片、２２  アタッチメント端部キャップ、
２３  アタッチメント、２３ａ  枠当接部、２３ｂ  屋内壁部、２３ｃ  水平面部、
２３ｄ  突起、２３ｅ  凹部、
Ｘ１  キャップ延出部と躯体当接部２ａとの距離、Ｘ２  係合代
【図１】
0006421066.tif 000002
【図２】
0006421066.tif 000003
【図３】
0006421066.tif 000004
【図４】
0006421066.tif 000005
【図５】
0006421066.tif 000006